(57)【特許請求の範囲】
【請求項１】
トラス構造小屋組の各構成部材を互いに接合するための接合部材を形成するトラス接合部材形成方法であって、
対向配置された一対のガセットプレートと、該一対のガセットプレートを接合している第１および第２の中間部材と、母屋を受けるようにして前記中間部材の一方に一体的に形成された、前記母屋をトラスに接合するためのプレートとを一体的に形成することを特徴とするトラス接合部材形成方法。
【請求項２】
トラス構造小屋組の各構成部材を互いに接合するための接合部材を形成するトラス接合部材形成方法であって、
対向配置された一対のガセットプレートと、該一対のガセットプレートを接合している中間部材と、前記中間部材に一体的に形成された、各トラスの間に渡される水平ブレースをトラスに接合するためのプレートとを一体的に形成することを特徴とするトラス接合部材形成方法。
【請求項３】
順送り型を用いたプレス加工により鋼板を成形することによって、接合部材を形成することを特徴とする請求項１または２記載のトラス接合部材形成方法。
【請求項４】
トラス構造小屋組の各構成部材を互いに接合するトラス接合部材であって、
前記トラス接合部材は、対向配置された一対のガセットプレートと、該一対のガセットプレートを接合している第１および第２の中間部材と、母屋を受けるようにして前記中間部材の一方に一体的に形成された、前記母屋をトラスに接合するためのプレートとを一体的に有してなることを特徴とするトラス接合部材。
【請求項５】
トラス構造小屋組の各構成部材を互いに接合するトラス接合部材であって、
前記トラス接合部材は、対向配置された一対のガセットプレートと、該一対のガセットプレートを接合している中間部材と、前記中間部材に一体的に形成された、各トラスの間に渡される水平ブレースをトラスに接合するためのプレートとを一体的に有してなることを特徴とするトラス接合部材。
【請求項６】
順送り型を用いたプレス加工によって成形される鋼板から接合部材が形成されてなることを特徴とする請求項４または５記載のトラス接合部材。
【発明の詳細な説明】
【０００１】
【発明の属する技術分野】
本発明はトラス接合部材形成方法およびトラス接合部材に関する。さらに詳しくは、例えばスチール製のトラス構造小屋組の各構成部材を互いに接合するのに好適なトラス接合部材形成方法およびトラス接合部材に関する。
【０００２】
【従来の技術】
従来、トラス構造の小屋組、特にスチール製のトラス構造小屋組においては、母屋または水平ブレースを各トラスに接合する各取合い部のガセットプレートを金属板を組合わせ溶接して、形成するのが一般的である。
【０００３】
ところが、溶接作業は作業環境の影響を受けやすいため、品質が一定せず、また溶接品質が作業者の技量に左右されるという問題がある。
【０００４】
【発明が解決しようとする課題】
本発明はかかる従来技術の課題に鑑みなされたものであって、トラス構造小屋組における母屋および水平ブレースの各トラスへの接合作業を容易にすることができるトラス接合部材形成方法およびトラス接合部材を提供することを目的としている。
【０００５】
【課題を解決するための手段】
本発明のトラス接合部材形成方法の第１形態は、トラス構造小屋組の各構成部材を互いに接合するための接合部材を形成するトラス接合部材形成方法であって、対向配置された一対のガセットプレートと、該一対のガセットプレートを接合している第１および第２の中間部材と、母屋を受けるようにして前記中間部材の一方に一体的に形成された、前記母屋をトラスに接合するためのプレートとを一体的に形成することを特徴とする。
【０００６】
本発明のトラス接合部材形成方法の第２形態は、トラス構造小屋組の各構成部材を互いに接合するための接合部材を形成するトラス接合部材形成方法であって、対向配置された一対のガセットプレートと、該一対のガセットプレートを接合している中間部材と、前記中間部材に一体的に形成された、各トラスの間に渡される水平ブレースをトラスに接合するためのプレートとを一体的に形成することを特徴とする。
【０００７】
本発明のトラス接合部材形成方法においては、順送り型を用いたプレス加工により鋼板を成形することによって、接合部材を形成するのが好ましい。
【０００８】
一方、本発明のトラス接合部材の第１形態は、トラス構造小屋組の各構成部材を互いに接合するトラス接合部材であって、前記トラス接合部材は、対向配置された一対のガセットプレートと、該一対のガセットプレートを接合している第１および第２の中間部材と、母屋を受けるようにして前記中間部材の一方に一体的に形成された、前記母屋をトラスに接合するためのプレートとを一体的に有してなることを特徴とする。
【０００９】
本発明のトラス構造小屋組用接合部材の第２形態は、トラス構造小屋組の各構成部材を互いに接合するトラス接合部材であって、前記トラス接合部材は、対向配置された一対のガセットプレートと、該一対のガセットプレートを接合している中間部材と、前記中間部材に一体的に形成された、各トラスの間に渡される水平ブレースをトラスに接合するためのプレートとを一体的に有してなることを特徴とする。
【００１０】
本発明のトラス接合部材においては、順送り型を用いたプレス加工によって成形された鋼板から接合部材が形成されるのが好ましい。
【００１１】
【作用】
本発明は前記のごとく構成されているので、溶接するなどの作業を行うことなく、母屋または水平ブレースを各トラスに接合することができる。そのため、品質が安定する。
【００１２】
【発明の実施形態】
以下、添付図面を参照しながら本発明を実施形態に基づいて説明するが、本発明はかかる実施形態のみに限定されるものではない。
【００１３】
実施形態１
図１に本発明の実施形態１に係るトラス接合部材形成方法が適用された接合部材を示すとともに、図２にこの接合部材により小屋組各構成部材が接合された様子を示す。接合部材Ｓは母屋４２を例えばスチール製のトラス上弦材４１に接合するためのプレート１１と、このトラス上弦材４１に束材４３や斜材４４を接合するための第１、第２のガセットプレート１２，１３とが一体的に形成されてなるものである。
【００１４】
すなわち、接合部材Ｓは例えば順送り型を用いたプレス加工により、１枚の鋼板を、プレート１１、各ガセットプレート１２，１３およびこれら各プレート１１，１２，１３を互いに接合する第１、第２の中間部材１４，１５に成形してなるものとされる。各ガセットプレート１２，１３は互いに略平行に成形され、プレート１１と各ガセットプレート１２，１３とは略垂直に成形される。
【００１５】
また、上弦材４１、束材４３および斜材４４は例えばリベット５１，５２，５３，５４により各ガセットプレート１２，１３に留められ、母屋４２はボルト５５およびナット５６によりプレート１１に留められる。
【００１６】
このように、実施形態１では、１枚の鋼板を例えば順送り型を用いたプレス加工により成形して、母屋４２をトラス上弦材４１に接合するためのプレート１１と、トラス各構成材４１，４３，４４を互いに接合するためのガセットプレート１２，１３とから構成される接合部材Ｓを形成しているので、母屋４２取合い部のガセットプレートを形成するために、例えば金属板を組合わせ溶接するなどの作業を行う必要がなく、作業効率および品質を向上させることができる。
【００１７】
実施形態２
図３に本発明の実施形態２に係るトラス接合部材形成方法が適用された接合部材を示すとともに、図４にこの接合部材により小屋組各構成部材が接合された様子を示す。接合部材Ｓ１は、トラスのけた行き方向の振れを防止するために各トラスの間に渡される水平ブレース４５，４６を例えばスチール製のトラス下弦材４７に接合するための各プレート１６，１７と、このトラス下弦材４７に束材（図示省略）や斜材（図示省略）を接合するための第３、第４のガセットプレート１２´，１３´とが一体的に形成されてなるものである。
【００１８】
すなわち、接合部材Ｓ１は例えば順送り型を用いたプレス加工により、１枚の鋼板を、プレート１６，１７、各ガセットプレート１２´，１３´およびこれら各プレート１６，１７，１２´，１３´を互いに接合する第３中間部材１８に成形してなるものとされる。各ガセットプレート１２´，１３´は互いに略平行に成形され、各プレート１６，１７と各ガセットプレート１２´，１３´とは略垂直に成形される。
【００１９】
また、下弦材４７および前記束材などは例えばリベット５５，５６，５７，５８により各ガセットプレート１２´，１３´に留められ、各水平ブレース４５，４６はボルト５９，６０およびナット（図示省略）により各プレート１６，１７に留められる。
【００２０】
このように、実施形態２では、１枚の鋼板を例えば順送り型を用いたプレス加工により成形して、各水平ブレース４５，４６をトラス下弦材４７に接合するための各プレート１６，１７と、トラス各構成材を互いに接合するためのガセットプレート１２´，１３´とから構成される接合部材Ｓ１を形成しているので、各水平ブレース４５，４６取合い部のガセットプレートを形成するために、例えば金属板を組合わせ溶接するなどの作業を行う必要がなく、作業効率および品質を向上させることができる。
【００２１】
【発明の効果】
以上詳述したように、本発明によれば、母屋または水平ブレースをトラスに接合するためのプレートを、トラス各構成部材を互いに接合するためのガセットプレートと一体的に形成するので、金属板を組合わせ溶接するなどして、母屋取合い部または水平ブレース取合い部のガセットプレートを形成する必要がなく、作業効率および品質を向上させることができるという優れた効果を奏する。
【図面の簡単な説明】
【図１】本発明の実施形態１に係るトラス接合部材の概略構成を示す模式図であって、同（ａ）は同部材を取付け時の上方向から見た図、同（ｂ）は同部材をけた行き方向側方から見た図、同（ｃ）は梁間方向側方から見た図である。
【図２】同部材により各部材が接合された様子を示す模式図である。
【図３】本発明の実施形態２に係るトラス接合部材の概略構成を示す模式図であって、同（ａ）は同部材を取付け時の梁間方向側方から見た図、同（ｂ）は同部材をけた行き方向側方から見た図、同（ｃ）は下方向からから見た図である。
【図４】同部材により各部材が接合された様子を示す模式図である。
【符号の説明】
１１，１６，１７  プレート
１２，１３        ガセットプレート
４１              トラス上弦材
４２              母屋
４３              トラス束材
４４              トラス斜材
４５，４６        水平ブレース
４７              トラス下弦材
【図１】
0003709460.tif 000002
【図２】
0003709460.tif 000003
【図３】
0003709460.tif 000004
【図４】
0003709460.tif 000005